(57)【要約】【課題】熱充填により吸収パネルが湾曲変形しない合成樹脂製壜体を提供すること。【解決手段】内圧の変動に対応して湾曲変位する縦長の吸収パネルを容器側壁に陥没形成させ、吸収パネルを少なくとも上下の領域に２分割し、容器の外側もしくは内側に向けて吸収パネル壁を屈曲突出させて形成した突条を領域のそれぞれに形成し、かつ領域間に吸収パネルを横断する平坦な帯状部分を設けて合成樹脂製壜体を構成した。これにより、吸収パネルの中間部分が帯状部分によって抑えられるので、内圧により大きく膨らむことがなく、吸収パネルに湾曲変形が生じない合成樹脂製壜体を提供できる。【選択図】  図１
2004299758.tif 000002
【特許請求の範囲】
【請求項１】
内圧の変動に対応して湾曲変位する縦長の吸収パネルを容器側壁に陥没形成させ、
前記吸収パネルを少なくとも上下の領域に２分割し、前記容器の外側もしくは内側に向けて前記吸収パネル壁を屈曲突出させて形成した突条を前記領域のそれぞれに形成し、かつ前記領域間に前記吸収パネルを横断する平坦な帯状部分を設けたことを特徴とする合成樹脂製壜体。
【請求項２】
前記突条をコの字状に、かつ該コの字状の開放面を互いに対向させて前記領域に形成したことを特徴とする請求項１に記載の合成樹脂製壜体。
【請求項３】
口の字状に形成した前記突条を前記領域のそれぞれに形成したことを特徴とする請求項１に記載の合成樹脂製壜体。
【発明の詳細な説明】
【０００１】
【発明の属する技術分野】
本発明は、容器胴部に吸収パネルを形成した合成樹脂製壜体に関する。
【０００２】
【従来の技術】
例えば図４に示すような合成樹脂製容器３０の場合、側壁３１に縦長の吸収パネル３２が形成されている。吸収パネル３２は、容器３０の側壁３１から一段低く陥没形成され、内圧変動や内容液の容積変動に対応して湾曲変位し、容器３０の不正変形を防止するとともに、吸収パネル３２の形状変化が視覚的に認識されないようにしている。
【０００３】
また、突条３３を吸収パネル３２の端縁に沿って形成することにより、吸収パネル３２の変位量を大きくし、減圧吸収能力を増大させていた。更に、熱充填を行うと吸収パネル３２の偏肉等に起因するゆがみが生じることがあるため、従来吸収パネル３２に折り線や内外方に突出した突条３３などを形成し、歪みの発生を小さくしたり、歪みが生じた場合でも目立たなくしていた。
【０００４】
（例えば特許文献１参照。）。
【０００５】
【特許文献１】
特開平１１−３４８９５４号公報。
【０００６】
【発明が解決しようとする課題】
しかしながら、特に容器が薄肉化されると凹凸が多い変位量の大きい吸収パネルは、熱充填時の内圧上昇によって膨らみ易く、冷却後に湾曲変形が復元しないことがあった。
【０００７】
本発明は、熱充填により容器が加熱、加圧されたときでも、吸収パネルに湾曲変形が生じることのない合成樹脂製壜体を提供することを目的とする。
【０００８】
【課題を解決するための手段】
本発明は、上記課題を解決するため合成樹脂製壜体を次のように構成した。
【０００９】
すなわち、請求項１に記載の発明は、内圧の変動に対応して湾曲変位する縦長の吸収パネルを容器側壁に陥没形成させ、前記吸収パネルを少なくとも上下の領域に２分割し、前記容器の外側もしくは内側に向けて前記吸収パネル壁を屈曲突出させて形成した突条を前記領域のそれぞれに形成し、かつ前記領域間に前記吸収パネルを横断する平坦な帯状部分を設けて合成樹脂製壜体を構成した。
【００１０】
これにより、吸収パネルの中間部分が帯状部分によって抑えられることから、熱充填により加熱加圧されても膨らむことがなく、吸収パネルに湾曲変形を生じさせない。
【００１１】
請求項２に記載の発明は、請求項１に記載の合成樹脂製壜体において、前記突条をコの字状に、かつ該コの字状の開放面を互いに対向させて前記領域に形成した。
【００１２】
これにより、対抗したコの字状の突条間で吸収容積を充分確保でき、しかも帯状部分によって吸収パネルに湾曲変形を生じさせない。
【００１３】
請求項３に記載の発明は、請求項１に記載の合成樹脂製壜体において、口の字状に形成した前記突条を前記領域のそれぞれに形成した。これにより、吸収容積を充分確保でき、しかも吸収パネルに湾曲変形を生じさせない。
【００１４】
【発明の実施の形態】
本発明にかかる合成樹脂製壜体の一実施形態を、図面を参照しながら説明する。
【００１５】
容器２は、２軸延伸ブロー成形により成形されたいわゆるＰＥＴボトルと呼ばれる合成樹脂製の容器であり、上部に口部４を有し、下部に容器本体６が形成してある。口部４の外周には雄ネジが形成してあり、ネジキャップ（図示せず。）が締結され、密栓される。
【００１６】
容器本体６は、ほぼ四角柱状で、四隅が更に斜めに形成してある。容器本体６の側壁７には、長方形に形成された吸収パネル８が上部と下部にそれぞれ形成してある。吸収パネル８は、図２の断面に示すように容器２の内部に陥没形成されている。更に吸収パネル８には、突条１がコの字状に形成してある。
【００１７】
突条１は、図２に示すように、吸収パネル８を屈曲し、吸収パネル８の陥没量より低い高さに突出形成されている。突条１は、コの字状の開放端を互いに向き合わせてあり、対向した突条１と突条１との間には、平坦な帯状部分３が形成されている。この帯状部分３は、吸収パネル８を横断し、吸収パネル８を上下２つの領域９、１０に分割している。
【００１８】
このように容器２は、吸収パネル８の中間に帯状部分３を備え、帯状部分３の上下の領域９、１０にコの字状の突条１をそれぞれ形成したので、吸収パネル８の中間部分が帯状部分３で抑えられる。したがって、熱充填により加熱加圧されても、内圧により吸収パネル８が膨らむことがなく、吸収パネル８に湾曲変形を残すことがない。また、吸収パネル８に突条１が形成されているので、吸収パネル８自体の歪みを目立たなくでき、かつ吸収パネル８の変位による吸収容量を増大できる。
【００１９】
図３に突条１の他の例を示す。この例は、吸収パネル８の中央に帯状部分３を設け、帯状部分３の上下にロの字状の突状１を形成した。このようにしても、吸収パネル８の中間部分を抑えることができ、熱充填等による吸収パネル８の湾曲変形を防止できる。
【００２０】
尚、上記実施形態では吸収パネル８を２つの領域９、１０に分割したが本発明はこれに限るものではない。また、突条１が形成する形状も、上記コの字状やロの字状に限るものではない。
【発明の効果】
本発明の合成樹脂製壜体によれば、容器の側壁に形成された吸収パネルの中間部分に平坦な帯状部分を設けたので、吸収パネルの中間部分を抑えることができ、熱充填により加熱加圧されても膨らむことがなく、吸収パネルに湾曲変形を残すことがない。
【図面の簡単な説明】
【図１】本発明にかかる合成樹脂製壜体の一実施形態を示す正面図である。
【図２】図１のＡ−Ａ線断面図である。
【図３】合成樹脂製壜体の他の実施形態を示す正面図である。
【図４】従来例を示す正面図である。
【符号の説明】
１  ；  突条
２  ；  容器
３  ；  帯状部分
４  ；  口部
６  ；  容器本体
７  ；  側壁
８  ；  吸収パネル
９、１０；  領域
【図１】
2004299758.tif 000003
【図２】
2004299758.tif 000004
【図３】
2004299758.tif 000005
【図４】
2004299758.tif 000006